(57)【特許請求の範囲】
【請求項１】
金型キャビティ面が形成された金型パーティング面に加飾シートを配置した状態で射出成形を行う成形同時加飾法で使用される加飾シート送り出し装置に固定される第１固定部と、
射出成形機のプラテンまたは金型に固定される第２固定部とを備え、
加飾シートが配置される金型パーティング面が、金型内を加飾シートが移動する加飾シート移動方向に対して平行かつ射出成形機のプラテン面に対して傾斜した状態で、
加飾シートが配置される金型パーティング面と加飾シート送り出し装置のガイドローラーとを略平行にすることを特徴とする装置設置治具。
【請求項２】
加飾シート移動方向を軸に第１固定部と第２固定部とのなす角度を変更するための角度変更機構を備える請求項１の装置設置治具。
【請求項３】
金型キャビティ面が形成された金型パーティング面に加飾シートを配置した状態で射出成形を行う成形同時加飾法で使用される加飾シート送り出し装置に固定される第１固定部を備え、
加飾シートが配置される金型パーティング面が、金型内を加飾シートが移動する加飾シート移動方向に対して平行かつ射出成形機のプラテン面に対して傾斜した状態で、
加飾シートが配置される金型パーティング面と加飾シート送り出し装置のガイドローラーとを略平行にすることを特徴とする金型。
【請求項４】
加飾シート移動方向を軸にして第１固定部を回転可能とする角度変更機構を備える請求項３の金型。
【請求項５】
金型キャビティ面が形成された金型パーティング面に加飾シートを配置した状態で射出成形を行う成形同時加飾法で使用される加飾シート送り出し装置に固定される第１固定部をプラテンに備え、
加飾シートが配置される金型パーティング面が、金型内を加飾シートが移動する加飾シート移動方向に対して平行かつ射出成形機のプラテン面に対して傾斜した状態で、
加飾シートが配置される金型パーティング面と加飾シート送り出し装置のガイドローラーとを略平行にすることを特徴とする射出成形機。
【請求項６】
加飾シート移動方向を軸にして第１固定部を回転可能とする角度変更機構を備える請求項５の射出成形機。
【請求項７】
金型キャビティ面が形成された金型パーティング面に加飾シートを配置した状態で射出成形を行う成形同時加飾成形品の製造方法において、
射出成形機のプラテンまたは金型と加飾シート送り出し装置との間に装置設置治具を設けて加飾シート送り出し装置のガイドローラーを加飾シートが配置される金型パーティング面に対して略平行に設置することにより、
加飾シートが配置される金型パーティング面が、金型内を加飾シートが移動する加飾シート移動方向に対して平行かつ射出成形機のプラテン面に対して傾斜した状態で、
加飾シートが配置される金型パーティング面に対して加飾シートを略平行に導入することを特徴とする成形同時加飾成形品の製造方法。
【請求項８】
金型キャビティ面が形成された金型パーティング面に加飾シートを配置した状態で射出成形を行う成形同時加飾成形品の製造方法において、
射出成形機のプラテンのまたは金型の第１固定部に加飾シート送り出し装置を設けて加飾シート送り出し装置のガイドローラーを加飾シートが配置される金型パーティング面に対して略平行に設置することにより、
加飾シートが配置される金型パーティング面が、金型内を加飾シートが移動する加飾シート移動方向に対して平行かつ射出成形機のプラテン面に対して傾斜した状態で、
加飾シートが配置される金型パーティング面に対して加飾シートを略平行に導入することを特徴とする成形同時加飾成形品の製造方法。
【発明の詳細な説明】
【技術分野】
【０００１】
本発明は、樹脂成形品の表面に加飾シートを用いて加飾を行うのに好適な装置設置治具、金型、射出成形機およびおよび成形同時加飾成形品の製造方法に関する。
【背景技術】
【０００２】
従来、樹脂成形品の表面を装飾する方法として、転写材などの加飾シートを利用した成形同時加飾法がある。
【０００３】
成形同時加飾法とは、基体シート上に、剥離層、図柄層、接着層などからなる転写層を形成した加飾シートを金型キャビティ面に配置した状態で成形金型内に挟み込み、金型内に成形樹脂を射出する射出成形を行い、冷却して樹脂成形品を得るのと同時に樹脂成形品表面に加飾シートを接着した後、基体シートを剥離して、被転写物面に転写層を転移して装飾を行う方法である。成形同時加飾法は、印刷法によって直接図柄を形成することが困難な形状の樹脂成形品であっても図柄を形成することができるという特長を有する。
【０００４】
加飾シートを金型の所定の位置に供給するには、金型の上方に配置した長尺の加飾シート２１を加飾シート送り出しロール３２から送り出すように構成した加飾シート送り出し装置３１と、金型の表面を通過して金型下方で転写済の基体シートを加飾シート巻き取りロール４２で巻き取るように構成した加飾シート巻き取り装置４１とからなる加飾シート送り装置を用いることができる（図１３および特許文献１参照）。この加飾シート送り装置はガイドローラー３３、４３と固定部３５、４５とを備え、ガイドローラー３３、４３と固定部３５、４５とは平行であり、固定部３５、４５は成形機のプラテン面に直接固定されている。
【０００５】
【特許文献１】特開昭６１−２９７１４９号公報
【発明の開示】
【発明が解決しようとする課題】
【０００６】
ここで例えば自動車のバンパーの構成部品として用いられ図１４で示すように天面部分が斜面である樹脂成形品２０１の天面部分２０２を成形同時加飾法で加飾する場合、金型パーティング面の設定として、金型キャビティ面が形成され加飾シート２１が配置される金型パーティング面２７が平坦な斜面であり、この金型パーティング面２７の両脇にあって加飾シート２１が配置されない金型パーティング面２８、２９同士が段差を持つようにするのが適切である（図１５参照）。この理由は、加飾シート２１の変形を極力なくすことによって、図柄の変形や加飾シートのシワや破れを極力防ぐためである。この結果、加飾シート２１が配置される金型パーティング面２７が、金型内を加飾シート２１が移動する加飾シート移動方向２６に対して平行かつ射出成形機のプラテン面に対して傾斜した状態となる（図１５、図１６参照）。以下、この状態を金型パーティング面傾斜状態と呼ぶ。
【０００７】
加飾シート送り装置のガイドローラー３３、４３と固定部３５、４５とは平行であるので、従来どおりに射出成形機のプラテン面に直接加飾シート送り装置を取り付けると、射出成形機のプラテンの面と平行に加飾シート２１が送り出される（図１５、図１６参照）。すると、金型パーティング面傾斜状態となるような金型を使用した場合には、射出成形機のプラテン面に対して傾斜した加飾シート２１が配置される金型パーティング面２７に対し、射出成形機のプラテン面に対して平行な加飾シート２１の面は、傾斜してしまう。すると、加飾シート２１の一端で金型キャビティ面２３との距離が大きくなってしまう。加飾シート２１の一端で金型キャビティ面２３との距離が大きくなると、その端付近で加飾シート２１を金型キャビティ面２３に沿わせる際に加飾シート２１の位置ずれが生じやすくなる。このため、金型キャビティ面２３に対して加飾シート２１を正確に位置あわせすることは困難になる。
【０００８】
また、全面的に抽象柄が施されているような加飾シート２１を用いる場合のように、たとえ金型キャビティ面２３との正確な位置あわせがさほど要求されない場合であっても別の問題が発生する。加飾シート２１の一端で金型キャビティ面２３との距離が大きくなると、フィルムクランプでフィルムを押さえた時や金型が閉じる時に加飾シート２１の一端が金型キャビティ面２３まで押し込まれるため、加飾シート２１の破れによって連続成形が困難になり、また、シワの発生や図柄層の割れによって加飾後の樹脂成形品に外観不良が生じることがある。フィルムクランプでフィルムを押さえた時や金型が閉じる時点で加飾シート２１が破れなくても、加飾シート２１の一部が金型キャビティ面２３に密着せずに金型キャビティ面２３から浮いてしまうため、成形樹脂を金型キャビティ２３内に充填させる際に溶融樹脂の熱圧で加飾シート２１が破れたりシワが発生したり図柄層の割れが生じることで加飾後の樹脂成形品に外観不良が生じてしまうことがある。
【０００９】
本発明は金型パーティング面傾斜状態の場合でも、加飾シートが配置される金型パーティング面と加飾シートの面とを略平行にできるようにして上記の問題が発生しないようにするための装置設置治具、金型、射出成形機および成形同時加飾成形品の製造方法を提供することを目的とする。
【課題を解決するための手段】
【００１０】
本発明は前記目的を達成するため、以下のような特徴を備える。
【００１１】
この発明の装置設置治具は、金型キャビティ面が形成された金型パーティング面に加飾シートを配置した状態で射出成形を行う成形同時加飾法で使用される加飾シート送り出し装置に固定される第１固定部と、射出成形機のプラテンまたは金型に固定される第２固定部とを備え、加飾シートが配置される金型パーティング面が、金型内を加飾シートが移動する加飾シート移動方向に対して平行かつ射出成形機のプラテン面に対して傾斜した状態で、加飾シートが配置される金型パーティング面と加飾シート送り出し装置のガイドローラーとを略平行にするように構成した。
【００１２】
また、上記の発明において、加飾シート移動方向を軸に第１固定部と第２固定部とのなす角度を変更するための角度変更機構を備えるように構成してもよい。
【００１３】
この発明の金型は、金型キャビティ面が形成された金型パーティング面に加飾シートを配置した状態で射出成形を行う成形同時加飾法で使用される加飾シート送り出し装置に固定される第１固定部を備え、加飾シートが配置される金型パーティング面が、金型内を加飾シートが移動する加飾シート移動方向に対して平行かつ射出成形機のプラテン面に対して傾斜した状態で、加飾シートが配置される金型パーティング面と加飾シート送り出し装置のガイドローラーとを略平行にするように構成した。
【００１４】
また、上記の発明において、加飾シート移動方向を軸にして第１固定部を回転可能とする角度変更機構を備えるように構成してもよい。
【００１５】
この発明の射出成形機は、金型キャビティ面が形成された金型パーティング面に加飾シートを配置した状態で射出成形を行う成形同時加飾法で使用される加飾シート送り出し装置に固定される第１固定部をプラテンに備え、加飾シートが配置される金型パーティング面が、金型内を加飾シートが移動する加飾シート移動方向に対して平行かつ射出成形機のプラテン面に対して傾斜した状態で、加飾シートが配置される金型パーティング面と加飾シート送り出し装置のガイドローラーとを略平行にするように構成した。
【００１６】
また、上記の発明において、加飾シート移動方向を軸にして第１固定部を回転可能とする角度変更機構を備えるように構成してもよい。
【００１７】
この発明の成形同時加飾成形品の製造方法は、金型キャビティ面が形成された金型パーティング面に加飾シートを配置した状態で射出成形を行う成形同時加飾成形品の製造方法において、射出成形機のプラテンまたは金型と加飾シート送り出し装置との間に装置設置治具を設けて加飾シート送り出し装置のガイドローラーを加飾シートが配置される金型パーティング面に対して略平行に設置することにより、加飾シートが配置される金型パーティング面が、金型内を加飾シートが移動する加飾シート移動方向に対して平行かつ射出成形機のプラテン面に対して傾斜した状態で、加飾シートが配置される金型パーティング面に対して加飾シートを略平行に導入する工程をとる。
【００１８】
また、この発明の成形同時加飾成形品の製造方法は、金型キャビティ面が形成された金型パーティング面に加飾シートを配置した状態で射出成形を行う成形同時加飾成形品の製造方法において、射出成形機のプラテンのまたは金型の第１固定部に加飾シート送り出し装置を設けて加飾シート送り出し装置のガイドローラーを加飾シートが配置される金型パーティング面に対して略平行に設置することにより、加飾シートが配置される加飾シートが配置される金型パーティング面が、金型内を加飾シートが移動する加飾シート移動方向に対して平行かつ射出成形機のプラテン面に対して傾斜した状態で、加飾シートが配置される金型パーティング面に対して加飾シートを略平行に導入する工程をとる。
【発明の効果】
【００１９】
この発明の装置設置治具、金型、射出成形機は、以上のとおりの構成を有するので、次のような優れた効果を有する。
【００２０】
この発明の装置設置治具は、加飾シート送り出し装置に固定される第１固定部と、射出成形機のプラテンまたは金型に固定される第２固定部とを備え、加飾シートが配置される金型パーティング面が、金型内を加飾シートが移動する加飾シート移動方向に対して平行かつ射出成形機のプラテン面に対して傾斜した状態で、加飾シートが配置される金型パーティング面と加飾シート送り出し装置のガイドローラーとを略平行にする。
【００２１】
この発明の金型は、加飾シート送り出し装置に固定される第１固定部を備え、加飾シートが配置される金型パーティング面が、金型内を加飾シートが移動する加飾シート移動方向に対して平行かつ射出成形機のプラテン面に対して傾斜した状態で、加飾シートが配置される金型パーティング面と加飾シート送り出し装置のガイドローラーとを略平行にする。
【００２２】
この発明の射出成形機は、加飾シート送り出し装置に固定される第１固定部をプラテンに備え、加飾シートが配置される金型パーティング面が、金型内を加飾シートが移動する加飾シート移動方向に対して平行かつ射出成形機のプラテン面に対して傾斜した状態で、加飾シートが配置される金型パーティング面と加飾シート送り出し装置のガイドローラーとを略平行にする。
【００２３】
したがって、この発明の装置設置治具を用いれば、金型パーティング面傾斜状態であっても加飾シートが配置される金型パーティング面と加飾シートの面とを略平行に配置できる（図１、図２参照）。この発明の金型、射出成形機を用いても、金型パーティング面傾斜状態であっても加飾シートが配置される金型パーティング面と加飾シートの面とを略平行に配置できる。そして、加飾シートの全体で金型キャビティとの距離を小さくすることができるので、加飾シートを金型キャビティ面に沿わせる際の位置ずれが生じにくくなる。これに伴い、金型キャビティ面に対する加飾シートの位置あわせが容易で、加飾シートの破れやシワや図柄層の割れに起因する樹脂成形品の外観不良が生じない。
【発明を実施するための最良の形態】
【００２４】
図面を参照しながらこの発明の実施の形態について詳しく説明する。
【００２５】
図１は、この発明の装置設置治具を使用する状況を示す斜視図である。図２は、この発明の装置設置治具を使用する状況を示す、加飾シート移動方向と垂直な面における断面図である。図３は、この発明の装置設置治具を示す斜視図である。図４は、この発明の他の装置設置治具を示す斜視図である。図５５は、この発明の他の装置設置治具を示す斜視図である。図６は、この発明の他の装置設置治具を示す斜視図である。図７は、この発明の他の装置設置治具を示す斜視図である。図８は、この発明の他の装置設置治具を使用する状況を示す斜視図である。図９は、この発明の金型およびこの発明の金型を使用する状況を示す斜視図である。図１０は、この発明の他の金型およびこの発明の射出成形機のプラテンを示す斜視図である。図１１は、この発明の他の装置設置治具を使用する状況を示す斜視図である。図１２は、この発明の装置設置治具、金型、射出成形機を使用する際に用いる転写シートの断面図である。図１３は、従来の成形同時加飾法の実施を示す側面図である。図１４は、この発明の装置設置治具、金型、射出成形機を利用して成形することが適した成形同時加飾成形品の一例である。図１５は、従来の成形同時加飾法の実施を示す斜視図である。図１６は、従来の成形同時加飾法の実施を示す、加飾シート移動方向と垂直な面における断面図である。
【００２６】
図中、１は装置設置治具、２は第１固定部、３は第２固定部、４は支持部、５はボルト穴、６はボルト貫通穴、７はヒンジ、８はターンテーブル、９は固定ネジ、１１は装置設置治具、１２は第１固定部、１３は第２固定部、１４は支持部、１５はボルト穴、１６はボルト貫通穴、１７はヒンジ、１８はターンテーブル、１９は固定ネジ、２１は加飾シート、２２は可動型、２３は金型キャビティ面、２４は可動プラテン、２５はボルト、２６は加飾シート移動方向、２７は金型パーティング面、２８は金型パーティング面、２９は金型パーティング面、３１は加飾シート送り出し装置、３２は加飾シート送り出しロール、３３はガイドローラー、３４はフレーム、３５は固定部、４１は加飾シート巻き取り装置、４２は加飾シート巻き取りロール、４３はガイドローラー、４４はフレーム、４５は固定部、５１は固定型、５２はゲート、５３は固定プラテン、５４は射出ノズル、５５はタイバー、６１は可動型、６２は金型キャビティ面、６３は第１固定部、６４は第１固定部、６５はターンテーブル、６６はターンテーブル、６７は固定ネジ、６８は固定ネジ、６９は金型パーティング面、７１は可動プラテン、７２は第１固定部、７３は第１固定部、７４はターンテーブル、７５はターンテーブル、７６は固定ネジ、７７は固定ネジ、１０１は転写シート、１０２は基体シート、１０３は剥離層、１０４は図柄層、１０５は接着層、１０６は転写層、２０１は樹脂成形品、２０２は天面部分、２０３は側面部分、３０１はピンチ装置、３０２は駆動装置である。
【００２７】
この発明の装置設置治具、金型、射出成形機について説明する前に、加飾シート送り出し装置３１および加飾シート金型内導入装置について説明する。
【００２８】
加飾シート送り出し装置３１は、加飾シート２１を金型に供給するものであり、加飾シート送り出しロール３２とガイドローラー３３とフレーム３４と固定部３５とを備え、加飾シート送り出しロール３２とガイドローラー３３とを支持するフレーム３４が固定部３５に支持されているものである。ここで、ガイドローラー３３と固定部３５とが平行になるようにフレーム３４と固定部３５とは固定されている。加飾シート送り出し装置３１には、他にも加飾シート２１の横方向位置決めをするためのフレーム駆動手段（図示せず）や制御手段（図示せず）なども備える（図１参照）。
【００２９】
加飾シート金型内導入装置は、加飾シート送り出し装置３１から送り出された加飾シート２１を金型内に導入するための装置である。
【００３０】
加飾シート金型内導入装置としては、加飾シート巻き取り装置４１を使用することができる。加飾シート巻き取り装置４１は加飾シート巻き取りロール４２とガイドローラー４３とフレーム４４と固定部４５とを備えるものであり、基本的に加飾シート送り出し装置３１の加飾シート送り出しロール３２が加飾シート２１を巻き取る加飾シート巻き取りロール４２に置き換わったものである。
【００３１】
また、加飾シート２１として後述のインサートシートを用い、インサートシートが成形後に巻き取られずに樹脂成形品とともに分断される場合においては、加飾シート金型内導入装置として、加飾シートの分断端部をつかむピンチ装置３０１とピンチ装置を上下させるための駆動装置３０２とを組み合わせたものを使用することもできる（図１１参照）。
【００３２】
この発明の装置設置治具１、１１は、加飾シート送り出し装置３１または加飾シート巻き取り装置４１に固定される第１固定部２、１２と、射出成形機のプラテンまたは金型に固定される第２固定部３、１３とを備える。第１固定部２、１２と第２固定部３、１３との間には、互いの位置関係の保持のため、また、加飾シート送り出し装置３１または加飾シート巻き取り装置４１の重量を支えるために支持部４、１４を設けるのが好ましい。第１固定部２、１２、第２固定部３、１３、支持部４、１４には強度が要求されるので通常鉄などの金属を用いるのがよい。
【００３３】
第１固定部２、１２、第２固定部３、１３、支持部４、１４の形状はプレート状（図３参照）であってもよいし、ブロック形状であってもよいし棒形状の組み合わせでもよい（図４参照）。
【００３４】
第２固定部３、１３を射出成形機のプラテンに固定する場合は、従来加飾シート送り出し装置３１や加飾シート巻き取り装置４１の固定部３５、４５を固定していた場所に固定すればよい。もちろん、成形機の可動／固定プラテンのいずれに固定するかは、可動型もしくは固定型のいずれに加飾シートを配置するかによる。ここで、加飾シート送り出し装置３１または加飾シート巻き取り装置４１に固定される第１固定部２、１２の固定面と、射出成形機のプラテン面に固定される第２固定部３、１３の固定面とがなす角度が、加飾シート２１が配置される金型パーティング面２７と成形機のプラテン面とがなす角度と同じになるように、金型内を加飾シートが移動する加飾シート移動方向２６を軸に第２固定部３、１３に対して第１固定部２、１２を傾けて固定すると、加飾シート２１が配置される金型パーティング面２７とガイドローラー３３とを略平行にすることができるので、加飾シート２１が配置される金型パーティング面２７と加飾シート２１とを略平行に保つことができる（図１、２参照）。したがって、金型キャビティ面２３に対する加飾シート２１の位置あわせは容易となり、加飾シート２１の破れやシワや図柄層１０４の割れに起因する樹脂成形品の外観不良が生じない。
【００３５】
第２固定部３、１３を金型に固定する場合は、金型を挟み込む形に第２固定部３、１３の形状を形成してもよい（図７、図８参照）。この場合、第１固定部２、１２と第２固定部３、１３との角度設定を適切に行うことにより、加飾シート２１が配置される金型パーティング面２７とガイドローラー３３とを略平行にすることができるので、加飾シート２１が配置される金型パーティング面２７と加飾シート２１とを略平行に保つことができる。したがって、金型キャビティ面２３に対する加飾シート２１の位置あわせは容易となり、加飾シート２１の破れやシワや図柄層１０４の割れに起因する樹脂成形品の外観不良が生じない。
【００３６】
これらの固定の方法に特に限定はないが、ボルト２５を利用すれば簡便に強固に固定できる。例えば、加飾シート送り出し装置３１および加飾シート巻き取り装置４１の固定部３５、４５に設けたボルト貫通穴を通して第１固定部２、１２に設けたボルト穴５、１５にボルト２５をねじ込むことによって加飾シート送り出し装置３１および加飾シート巻き取り装置４１の固定部３５、４５を第１固定部２、１２に固定すればよい（図１参照）。ボルト貫通穴としては使用するボルトの径よりも少し大きな丸い穴とすればよい。ボルト穴５、１５には使用するボルトに適合するタップ溝が切られる。ここで、第１固定部２、１２にボルト穴５、１５の代わりにボルト貫通穴を設け、加飾シート送り出し装置３１および加飾シート巻き取り装置４１の固定部３５、４５と第１固定部２、１２とをボルトとナットで固定してもよい。
【００３７】
第２固定部３、１３に設けたボルト貫通穴６、１６を通して固定プラテンに設けたボルト穴にボルト２５をねじ込むことによって第２固定部３、１３を固定プラテンに固定できる（図１参照）。また、第２２固定部３、１３に設けたボルト貫通穴６、１６を通して金型に設けたボルト穴にボルト２５をねじ込むことによって第２固定部３、１３を金型に固定してもよい（図６、図７参照）。
【００３８】
第１固定部２、１２と第２固定部３、１３との間に加飾シート移動方向２６を軸に第１固定部２、１２と第２固定部３、１３とのなす角度を変更するための角度変更機構を設け、第１固定部２、１２と第２固定部３、１３とのなす角度を金型毎に適宜調節できるようにすれば、一つの装置設置治具１、１１で複数の金型に対応することができて経済的である。角度変更機構にはヒンジ７、１７を用いることができる（図５、図６）。また、角度変更機構としてはターンテーブル８、１８を使用することもできる（図７（ｂ）参照）。角度変更機構には、第１固定部２、１２と第２固定部３、１３との間の角度を決定した後に両者の位置を固定するための固定手段を備える。固定手段としては例えば固定ネジ９、１９を使用することができる。
【００３９】
また、加飾シート送り出し装置側の装置設置治具１と加飾シート巻き取り装置側の装置設置治具１１とを互いに天地を入れ替えることにより、加飾シート送り出し装置３１および加飾シート巻き取り装置４１のプラテンに対する角度を逆向きに設置することができる。すなわち、図５（ｂ）に示す加飾シート巻き取り装置側の装置設置治具１１の天地を入れ替えると図６（ａ）に示す加飾シート送り出し装置側の装置設置治具１となり、図５（ａ）に示す加飾シート送り出し装置側の装置設置治具１の天地を入れ替えると図６（ｂ）に示す加飾シート巻き取り装置側の装置設置治具１１となる。
【００４０】
装置設置治具１、１１には、第１固定部２、１２、第２固定部３、１３、支持部４、１４以外にも、治具の強度を上げるため、図示しない強化部を別に設けてもよい。
【００４１】
本願発明で使用する金型は、金型パーティング面の設定として、金型キャビティ面が形成され加飾シート２１が配置される金型パーティング面２７が平坦な斜面であり、この金型パーティング面２７の両脇にあって加飾シート２１が配置されない金型パーティング面２８、２９同士が段差を持つことが特徴である（図１参照）。その結果、加飾シート２１が配置される金型パーティング面２７が、金型内を加飾シート２１が移動する加飾シート移動方向２６に対して平行かつ射出成形機のプラテン面に対して傾斜した、金型パーティング面傾斜状態となる（図１、図２参照）。
【００４２】
金型は、基本的には固定型と可動型からなり、型閉じ状態、型開き状態にできると共に、固定型のキャビティ面と可動型のキャビティ面とによって形成されるキャビティ空間に成形樹脂を射出できる構成となっている。また、金型は、中間プレート、成形品突き出しプレート、シートクランプなどの付随的な部材を備えるものであってもよい。加飾シート２１を設置するのは固定型と可動型のいずれであってもよい。
【００４３】
本願発明の装置設置治具を使用する代わりに、本願発明の金型として、加飾シート送り出し装置３１に固定される第１固定部６３を備える金型を使用してもよい、また、加飾シート巻き取り装置４１に固定される第１固定部６４も直接金型に設けてもよい。第１固定部６３、６４と加飾シート２１が配置される金型パーティング面６９とが略平行になるように、第１固定部６３、６４を金型に固定すると加飾シート２１が配置される金型パーティング面６９とガイドローラー３３とを略平行にすることができるので、加飾シート２１が配置される金型パーティング面６９と加飾シート２１とを略平行に保つことができる（図９参照）。したがって、金型キャビティ面６２に対する加飾シート２１の位置あわせは容易となり、加飾シート２１の破れやシワや図柄層１０４の割れに起因する樹脂成形品の外観不良が生じない。第１固定部６３、６４を可動型と固定型のいずれに固定するかは、可動型もしくは固定型のいずれに加飾シートを配置するかによる。
【００４４】
第１固定部６３、６４と金型との間には加飾シート移動方向２６を軸に第一固定部６３、６４を回転させる角度変更機構を設けてもよい。角度変更機構としては例えばターンテーブル６５、６６を使用することができる（図１０（ａ）参照）。角度変更機構には、第１固定部６３、６４の位置を固定する手段としては例えば固定ネジ６７、６８を使用することができる。
【００４５】
本願発明の装置設置治具や金型を使用する代わりに、本願発明の射出成形機として、加飾シート送り出し装置３１に固定される第１固定部７２をプラテンに備えてもよい。また、加飾シート巻き取り装置４１に固定される第１固定部７３もプラテンに備えてもよい。ここで、第１固定部７２、７３とプラテン面とがなす角度が金型キャビティ面２３と成形機のプラテン面とがなす角度と同じになるように、金型内を加飾シートが移動する加飾シート移動方向２６を軸にプラテン面に対して第１固定部７２、７３を傾けて固定すると、加飾シート２１が配置される金型パーティング面２７とガイドローラー３３とを略平行にすることができるので、加飾シート２１が配置される金型パーティング面２７と加飾シート２１とを略平行に保つことができる。したがって、金型キャビティ面２３に対する加飾シート２１の位置あわせは容易となり、加飾シート２１の破れやシワや図柄層１０４の割れに起因する樹脂成形品の外観不良が生じない。第１固定部７２、７３を可動プラテンと固定プラテンのいずれに固定するかは、可動型もしくは固定型のいずれに加飾シートを配置するかによる。
【００４６】
第１固定部７２、７３とプラテンとの間には加飾シート移動方向２６を軸に第一固定部７２、７３を回転させる角度変更機構を設け、第１固定部７２、７３とプラテンとのなす角度を金型毎に適宜調節できるようにすれば、一台の射出成形機で複数の金型に対応することができて経済的である。角度変更機構としては例えばターンテーブル７４、７５を使用することができる（図１０（ｂ）参照）。角度変更機構には、第１固定部７２、７３とプラテンとの間の角度を決定した後に両者の位置を固定するための固定手段を備える。固定手段としては例えば固定ネジ７６、７７を使用することができる。
【００４７】
加飾シート２１としては、転写シート１０１を用いることができる。転写シート１０１は、基体シート１０２上に、剥離層１０３、図柄層１０４、接着層１０５などからなる転写層１０６が設けられたものである（図１２参照）。基体シート１０２からの転写層１０６の剥離性がよい場合には、基体シート１０２上に転写層１０６を直接設ければよい。基体シート１０２からの転写層１０６の剥離性を改善するために、基体シート１０２上に転写層１０６を設ける前に、離型層（図示せず）を全面的に形成してもよい。図柄層１０４は、剥離層１０３の上に印刷層や金属薄膜層などで形成する。また、金属薄膜層を設ける際に、他の転写層と金属薄膜層との密着性を向上させるために、アンカー層（図示せず）を設けてもよい。接着層１０５は、樹脂成形品の表面に上記の各層を接着するための層である。
【００４８】
また、加飾シート２１として、インサートシートを用いることもできる。インサートシートは、樹脂成形品に加飾シート２１を接着した後、基体シート１０２を剥離しないため、その層構成は、剥離層を備えない点において転写シート１０１と異なる。また、成形後にインサートシートのうち樹脂成形品に積層された箇所以外の部分を巻き取る場合には、金型内でインサートシートを打ち抜くなどの処理を行うことが必要になる。成形後に樹脂成形品に積層された箇所以外の部分を巻き取らずに樹脂成形品とともに分断してしまう場合には、加飾シート金型内導入装置として加飾シート巻き取り装置１１は使用できなくなるが、代わりに加飾シートの分断端部をつかむピンチ装置３０１とピンチ装置を上下させるための駆動装置３０２とを組み合わせたものを使用ことができる（図１１参照）。
【００４９】
本願発明の成形同時加飾法を、本願発明の装置設置治具を使用する場合を例に、加飾シート２１として転写シート１０１を使用した場合について説明する（図１参照）。
【００５０】
転写シート１０１は、加飾シート送り出しロール３２から供給され、ガイドローラー３３を経由して、金型キャビティ面２３を通過し、ガイドローラー４３を経由して、加飾シート巻き取りロール４２に巻き取られる。
【００５１】
金型への転写シート１０１の供給は、転写シート１０１に形成された図柄（図示せず）が、金型キャビティ面２３に対して所定の位置に配置されるようにするため、間欠的に送り出される。転写シート１０１は、金型パーティング面傾斜状態においても可動型の加飾シート２１が配置される金型パーティング面２７と略平行になっている。転写シート１０１と金型キャビティ面２３との距離を小さくすることができて転写シート１０１を金型キャビティ面２３に沿わせる際の位置ズレが生じにくくなっているので、金型キャビティ面２３に対する転写シート１０１の位置合わせが容易となる。
【００５２】
転写シート１０１の位置決めが完了した後、可動型に対して転写シート１０１を密着させる。転写シート１０１を金型に密着させるには、シートクランプ（図示せず）を用いるとよい。また、金型に吸引孔（図示せず）を設け、転写シート１０１を吸引するように構成してもよい。また、転写シート１０１を金型に密着させる際に、転写シート１０１を加熱して軟化させるように構成してもよい。加熱手段として、転写シートの場合には温度８０〜３００℃程度に加熱することができる電熱式のヒータ（図示せず）などを用いるとよい（インサートシートの場合には１００〜５００℃程度がよい）。
【００５３】
次いで、固定型と可動型の型締めを行う。その後、固定型に設けたゲートから成形樹脂を金型内に射出充填させ、樹脂成形品を形成するのと同時にその表面に転写シート１０１を接着させる。
【００５４】
成形樹脂としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、アクリル系樹脂、ポリカーボネート変性ポリフェニレンエーテル樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。
【００５５】
被転写物である樹脂成形品を冷却した後、金型を開き、転写シート１０１の基体シート１０２を剥離し、樹脂成形品を取り出す。このようにして、樹脂成形品の表面に転写層が転移した成形同時加飾成形品を得ることができる。
【実施例１】
【００５６】
本願発明の装置設置治具として、第１固定部２、１２、第２固定部３、１３、支持部４、１４、強化部、角度変更機構としてヒンジ７、１７を備える装置設置治具を用い、加飾シート２１として転写シート１０１を使用して、図１４で示す天面部分が斜面である自動車のバンパーの構成部品である樹脂成形品２０１の天面部分２０２に成形同時加飾法による転写を行った。転写シート１０１が配置される金型パーティング面２７が、金型内を加飾シートである転写シート１０１が移動する加飾シート移動方向２６に対して平行かつ射出成形機のプラテン面に対して傾斜した状態（金型パーティング面傾斜状態）となっていたので、装置設置治具のヒンジ７、１７の回転角度を調節して加飾シート２１が配置される金型パーティング面２７とガイドローラー３３、４３とを略平行にした。成形同時加飾法の実施において、転写シート１１の全体で金型パーティング面２７との距離を２〜３ｍｍ程度とすることができたので、転写シート１０１を金型キャビティ面２３に沿わせる際の位置ずれが生じにくく、金型キャビティ面に対する転写シートの位置あわせが容易で、加飾シート２１の破れやシワや図柄層１０４の割れに起因する樹脂成形品の外観不良が生じなかった。
【図面の簡単な説明】
【００５７】
【図１】この発明の装置設置治具を使用する状況を示す斜視図である。
【図２】この発明の装置設置治具を使用する状況を示す、加飾シート移動方向と垂直な面における断面図である。
【図３】この発明の装置設置治具を示す斜視図である。
【図４】この発明の他の装置設置治具を示す斜視図である。
【図５】この発明の他の装置設置治具を示す斜視図である。
【図６】この発明の他の装置設置治具を示す斜視図である。
【図７】この発明の他の装置設置治具を示す斜視図である。
【図８】この発明の他の装置設置治具を使用する状況を示す斜視図である。
【図９】この発明の金型およびこの発明の金型を使用する状況を示す斜視図である。
【図１０】この発明の他の金型およびこの発明の射出成形機のプラテンを示す斜視図である。
【図１１】この発明の他の装置設置治具を使用する状況を示す斜視図である。
【図１２】この発明の装置設置治具、金型、射出成形機を使用する際に用いる転写シートの断面図である。
【図１３】従来の成形同時加飾法の実施を示す側面図である。
【図１４】この発明の装置設置治具、金型、射出成形機を利用して成形することが適した成形同時加飾成形品の一例である。
【図１５】従来の成形同時加飾法の実施を示す斜視図である。
【図１６】従来の成形同時加飾法の実施を示す、加飾シート移動方向と垂直な面における断面図である。
【符号の説明】
【００５８】
１  装置設置治具
２  第１固定部
３  第２固定部
４  支持部
５  ボルト穴
６  ボルト貫通穴
７  ヒンジ
８  ターンテーブル
９  固定ネジ
１１  装置設置治具
１２  第１固定部
１３  第２固定部
１４  支持部
１５  ボルト穴
１６  ボルト貫通穴
１７  ヒンジ
１８  ターンテーブル
１９  固定ネジ
２１  加飾シート
２２  可動型
２３  金型キャビティ面
２４  可動プラテン
２５  ボルト
２６  加飾シート移動方向
２７  金型パーティング面
２８  金型パーティング面
２９  金型パーティング面
３１  加飾シート送り出し装置
３２  加飾シート送り出しロール
３３  ガイドローラー
３４  フレーム
３５  固定部
４１  加飾シート巻き取り装置
４２  加飾シート巻き取りロール
４３  ガイドローラー
４４  フレーム
４５  固定部
５１  固定型
５２  ゲート
５３  固定プラテン
５４  射出ノズル
５５  タイバー
６１  可動型
６２  金型キャビティ面
６３  第１固定部
６４  第１固定部
６５  ターンテーブル
６６  ターンテーブル
６７  固定ネジ
６８  固定ネジ
６９  金型パーティング面
７１  可動プラテン
７２  第１固定部
７３  第１固定部
７４  ターンテーブル
７５  ターンテーブル
７６  固定ネジ
７７  固定ネジ
１０１  転写シート
１０２  基体シート
１０３  剥離層
１０４  図柄層
１０５  接着層
１０６  転写層
２０１  樹脂成形品
２０２  天面部分
２０３  側面部分
３０１  ピンチ装置
３０２  駆動装置
【図１】
0004878022.tif 000002
【図２】
0004878022.tif 000003
【図３】
0004878022.tif 000004
【図４】
0004878022.tif 000005
【図５】
0004878022.tif 000006
【図６】
0004878022.tif 000007
【図７】
0004878022.tif 000008
【図８】
0004878022.tif 000009
【図９】
0004878022.tif 000010
【図１０】
0004878022.tif 000011
【図１１】
0004878022.tif 000012
【図１２】
0004878022.tif 000013
【図１３】
0004878022.tif 000014
【図１４】
0004878022.tif 000015
【図１５】
0004878022.tif 000016
【図１６】
0004878022.tif 000017